(57)【要約】【課題】焼成瓦やスレート瓦として金型で能率よく安価に多量生産する。強風による軒先瓦の下への雨水の浸入を確実に阻止する。軒先瓦を綺麗な外観に仕上げる。【解決手段】軒先瓦は、本体部１の前縁に沿って下方に突出する前壁２を設けている焼成瓦又はスレート瓦からなる軒先瓦である。軒先瓦は、前壁２を所定の厚さとして、下面に長手方向に伸びる縦溝３を設け、または前壁２の裏面に、傾斜面５と垂直面６との繰り返しからなる階段状の凹凸４を設け、または本体部１の下面に、前壁２から離れて前壁２に沿う方向に伸びる裏溝７または裏凸条８を設けている。【効果】焼成瓦やスレート瓦として金型で能率よく安価に多量生産できる構造としながら、強風時に軒先瓦の下に雨水が浸入するのを効果的に阻止できる【選択図】図４
2008002190.tif 000002
【特許請求の範囲】
【請求項１】
本体部(1)の前縁に沿って下方に突出する前壁(2)を設けている焼成瓦又はスレート瓦からなる軒先瓦であって、前壁(2)が所定の厚さを有すると共に、下面に長手方向に伸びる縦溝(3)を設けている軒先瓦。
【請求項２】
本体部(1)の前縁に沿って下方に突出する前壁(2)を設けている焼成瓦又はスレート瓦からなる軒先瓦であって、前壁(2)の裏面に、傾斜面(5)と垂直面(6)との繰り返しからなる階段状の凹凸(4)を設けており、傾斜面(5)は下から上に向かって前壁(2)を薄くする方向に傾斜して、傾斜面(5)の上縁に垂直面(6)を設けていることを特徴とする軒先瓦。
【請求項３】
本体部(1)の前縁に沿って下方に突出する前壁(2)を設けている焼成瓦又はスレート瓦からなる軒先瓦であって、本体部(1)の下面に、前壁(2)から離れて、前壁(2)に沿う方向に伸びる裏溝(7)または裏凸条(8)を設けている軒先瓦。
【請求項４】
本体部(1)の前縁に沿って下方に突出する前壁(2)を設けている焼成瓦又はスレート瓦からなる軒先瓦であって、前壁(2)が所定の厚さを有すると共に、下面に長手方向に伸びる縦溝(3)を設けると共に、
前壁(2)の裏面に、傾斜面(5)と垂直面(6)との繰り返しからなる階段状の凹凸(4)を設けており、傾斜面(5)は下から上に向かって前壁(2)を薄くする方向に傾斜して、傾斜面(5)の上縁に垂直面(6)を設けていることを特徴とする請求項１と２に記載される軒先瓦。
【請求項５】
本体部(1)の前縁に沿って下方に突出する前壁(2)を設けている焼成瓦又はスレート瓦からなる軒先瓦であって、前壁(2)の裏面に、傾斜面(5)と垂直面(6)との繰り返しからなる階段状の凹凸(4)を設けており、傾斜面(5)は下から上に向かって前壁(2)を薄くする方向に傾斜して、傾斜面(5)の上縁に垂直面(6)を設けると共に、
本体部(1)の下面に、前壁(2)から離して、前壁(2)に沿うように裏溝(7)または裏凸条(8)を設けている請求項２と３に記載される軒先瓦。
【請求項６】
本体部(1)の前縁に沿って下方に突出する前壁(2)を設けている焼成瓦又はスレート瓦からなる軒先瓦であって、前壁(2)が所定の厚さを有すると共に、下面に長手方向に伸びる縦溝(3)を設けると共に、
本体部(1)の下面に、前壁(2)から離して、前壁(2)に沿うように裏溝(7)または裏凸条(8)を設けている請求項１と３に記載される軒先瓦。
【請求項７】
本体部(1)の前縁に沿って下方に突出する前壁(2)を設けている焼成瓦又はスレート瓦からなる軒先瓦であって、前壁(2)が所定の厚さを有すると共に、下面に長手方向に伸びる縦溝(3)を設けると共に、
前壁(2)の裏面に、傾斜面(5)と垂直面(6)との繰り返しからなる階段状の凹凸(4)を設けており、傾斜面(5)は下から上に向かって前壁(2)を薄くする方向に傾斜して、傾斜面(5)の上縁に垂直面(6)を設けており、
さらに、本体部(1)の下面に、前壁(2)から離して、前壁(2)に沿うように裏溝(7)または裏凸条(8)を設けている請求項１ないし３に記載される軒先瓦。
【発明の詳細な説明】
【技術分野】
【０００１】
本発明は焼成瓦やスレート瓦からなる軒先瓦に関し、とくに強風時においても、雨水の浸入を確実に阻止できる軒先瓦に関する。
【背景技術】
【０００２】
焼成瓦やスレート瓦は、建物の屋根下地の上に葺かれる。屋根下地は、たる木の上に合板等の野地板を固定し、野地板の上にルーフィングと呼ばれる防水シートを固定したものである。この屋根構造は、防水された屋根下地の上に焼成瓦やスレート瓦を葺いて、雨漏りを防止している。ただ、この構造にあっても、軒先部については強風時における雨漏りを効果的に阻止するのは極めて難しい。強風が軒先瓦と屋根下地の間に雨水を吹き込むからである。防水シートが調節している屋根下地は、完全に防水構造にはできず、ここに多量の雨水が浸入して雨漏りの原因となる。
【０００３】
強風で軒先瓦と屋根下地の間に浸入する雨水を阻止する構造は開発されている。（特許文献１及び２参照）
【特許文献１】特開平７−１６６６５４号公報
【特許文献２】特開２００５−２１３７２７号公報
【発明の開示】
【発明が解決しようとする課題】
【０００４】
特許文献１の軒先瓦は、図１の断面図に示すように、本体部２１の前縁に沿って下方に突出する前壁２２を設けている。さらに、前壁２２は、下端縁に沿って屈曲片部２３を設けて、屈曲片部２３と前壁２２と本体部２１とで凹溝２４を設けている。この構造の軒先瓦は、屈曲片部２３で雨水の浸入、とくに矢印の方向に吹く強風で軒先瓦の下に吹き込む雨水の浸入を防止できる。しかしながら、この構造の軒先瓦は、製造に著しく手間がかかって製造コストが高くなる欠点がある。とくに、焼成瓦やスレート瓦のように、粘土やモルタルを金型で成形する軒先瓦にあっては、内側に折曲する屈曲片部があることから、通常の金型からは脱型できない。このため、屈曲片部を成形するために、特別に設計された複雑な構造の金型を使用する必要があり、製造コストが高くなる。
【０００５】
また、特許文献２は、軒先瓦でなくて平板瓦を記載している。この平板瓦は、図２の断面図に示すように、本体部３１の前部下面に垂下部３２を設けている。この平板瓦は、焼成瓦やスレート瓦として金型で成型できる。ただ、この構造の平板瓦を軒先瓦として使用すると、屋根に葺いた状態で垂下部３２が目立って軒先を綺麗に仕上げることができない欠点がある。
【０００６】
本発明は、この欠点を解決することを目的に開発されたものである。本発明の重要な目的は、焼成瓦やスレート瓦として金型で能率よく安価に多量生産できると共に、強風による軒先瓦の下への雨水の浸入を確実に阻止でき、さらに、軒先瓦を綺麗な外観に仕上げられる軒先瓦を提供することにある。
【課題を解決するための手段】
【０００７】
本発明の軒先瓦は、本体部１の前縁に沿って下方に突出する前壁２を設けている焼成瓦又はスレート瓦からなる軒先瓦である。
本発明の請求項１の軒先瓦は、前壁２が所定の厚さを有すると共に、下面に長手方向に伸びる縦溝３を設けている。
【０００８】
本発明の請求項２の軒先瓦は、前壁２の裏面に、傾斜面５と垂直面６との繰り返しからなる階段状の凹凸４を設けている。傾斜面５は下から上に向かって前壁２を薄くする方向に傾斜して、傾斜面５の上縁に垂直面６を設けている。
【０００９】
本発明の請求項３の軒先瓦は、本体部１の下面に、前壁２から離れて、前壁２に沿う方向に伸びる裏溝７または裏凸条８を設けている。
【００１０】
本発明の請求項４の軒先瓦は、前壁２が所定の厚さを有すると共に、下面に長手方向に伸びる縦溝３を設けている。さらに、軒先瓦は、前壁２の裏面に、傾斜面５と垂直面６との繰り返しからなる階段状の凹凸４を設けている。傾斜面５は下から上に向かって前壁２を薄くする方向に傾斜して、傾斜面５の上縁に垂直面６を設けている。
【００１１】
本発明の請求項５の軒先瓦は、前壁２の裏面に、傾斜面５と垂直面６との繰り返しからなる階段状の凹凸４を設けている。傾斜面５は下から上に向かって前壁２を薄くする方向に傾斜して、傾斜面５の上縁に垂直面６を設けている。さらに、軒先瓦は、本体部１の下面に、前壁２から離して、前壁２に沿うように裏溝７または裏凸条８を設けている。
【００１２】
本発明の請求項６の軒先瓦は、前壁２が所定の厚さを有すると共に、下面に長手方向に伸びる縦溝３を設けている。さらに、軒先瓦は、本体部１の下面に、前壁２から離して、前壁２に沿うように裏溝７または裏凸条８を設けている。
【００１３】
本発明の請求項７の軒先瓦は、前壁２が所定の厚さを有すると共に、下面に長手方向に伸びる縦溝３を設けている。さらに、軒先瓦は、前壁２の裏面に、傾斜面５と垂直面６との繰り返しからなる階段状の凹凸４を設けている。傾斜面５は下から上に向かって前壁２を薄くする方向に傾斜して、傾斜面５の上縁に垂直面６を設けている。さらにまた、軒先瓦は、本体部１の下面に、前壁２から離して、前壁２に沿うように裏溝７または裏凸条８を設けている。
【発明の効果】
【００１４】
本発明の軒先瓦は、焼成瓦やスレート瓦として金型で能率よく安価に多量生産できる構造としながら、強風時に軒先瓦の下に雨水が浸入するのを効果的に阻止できる特徴がある。とくに、請求項１の軒先瓦は、本体部の前縁に沿って下方に突出する前壁の下面に縦溝を設けているので、この縦溝によって、軒先瓦の下に雨水が浸入するのを効果的に阻止できる。軒先瓦は、図３の矢印で示すように、水平方向の強風が吹くときに、雨水が特に下に浸入しやすくなる。軒先瓦はその下方に接近して樋を設けるので、下から上に強風が吹くことはないが、軒先瓦と樋との間から水平方向に強風が吹き込むことがある。大雨が降って、強風がこの方向に吹くとき、前壁の前面に沿って流下する雨水が前壁の下面に沿って流れて軒先瓦の下に浸入しようとする。本発明の請求項１の軒先瓦は、前壁の下面に設けた縦溝でもって、前壁の表面に沿って流れる雨水を水切りして遮断するので、強風によって雨水が軒先瓦の下に浸入するのを効果的に阻止できる。さらに、この軒先瓦は、縦溝によって、前壁の下面を流れる風のエネルギーを減衰できる特長もある。
【００１５】
また、本発明の請求項２の軒先瓦は、本体部の前縁に沿って下方に突出する前壁の裏面に、傾斜面と垂直面との繰り返しからなる階段状の凹凸を設けているので、この階段状の凹凸によって、軒先瓦の下に雨水が浸入するのを有効に防止できる。軒先瓦に水平方向に吹き込む強風は、図３に示すように、前壁の裏面では渦流となって雨水を前壁の裏面に沿って巻き上げる。本発明の請求項２の軒先瓦は、前壁の裏面に、傾斜面と垂直面との繰り返しからなる階段状の凹凸を設けており、とくに傾斜面は下から上に向かって前壁を薄くする方向に傾斜して、傾斜面の上縁に垂直面を設けている。この構造の階段状の凹凸は、前壁の裏面に沿って上昇する雨水を水切りして遮断し、渦流となった風が雨水を裏面に沿って上昇させるのを阻止する。したがって、強風によって前壁の裏面に流れ込んだ雨水が、軒先瓦の下に浸入するのを効果的に阻止できる。さらに、この軒先瓦は、階段状の凹凸によって、前壁の裏面に沿って上方に流れる風のエネルギーを減衰できる特長もある。
【００１６】
また、本発明の請求項３の軒先瓦は、本体部の下面に、前壁から離れて、前壁に沿う方向に伸びる裏溝または裏凸条を設けている。この軒先瓦は、本体部の下面に沿って軒先瓦の下に流れ込もうとする雨水を、裏溝または裏凸条で水切りして遮断するので、強風によって雨水が軒先瓦の下に浸入するのを効果的に阻止できる。雨水が軒先瓦と屋根下地との間に浸入するためには、裏溝または裏凸条を超えて流れる必要があるが、裏溝または裏凸条が雨水を水切りするので、雨水が裏溝または裏凸条を超えるのを阻止できるからである。
【００１７】
さらに、本発明の請求項４の軒先瓦は、前壁の下面に縦溝を設けると共に、前壁の裏面に傾斜面と垂直面との繰り返しからなる階段状の凹凸を設けているので、これらの相乗作用により、軒先瓦の下に雨水が浸入するのをより効果的に阻止できる。
【００１８】
さらに、本発明の請求項５の軒先瓦は、前壁の裏面に傾斜面と垂直面との繰り返しからなる階段状の凹凸を設けると共に、本体部の下面に、前壁から離して前壁に沿う裏溝または裏凸条を設けているので、これらの相乗作用により、軒先瓦の下に雨水が浸入するのをより効果的に阻止できる。
【００１９】
さらに、本発明の請求項６の軒先瓦は、前壁の下面に縦溝を設けると共に、本体部の下面に、前壁から離して前壁に沿う裏溝または裏凸条を設けているので、これらの相乗作用により、軒先瓦の下に雨水が浸入するのをより効果的に阻止できる。
【００２０】
さらにまた、本発明の請求項７の軒先瓦は、前壁の下面に縦溝を、前壁の裏面に階段状の凹凸を、本体部の下面に裏溝または裏凸条を設けているので、最も効果的に雨水の浸入を阻止できる。この軒先瓦は、台風のように多量の雨が降り、さらに極めて強い風が吹き込む悪天候においても、雨水の浸入を確実に阻止できる。
【００２１】
さらに、本発明の軒先瓦は、前壁の下面に設けた縦溝や前壁の裏面に設けた階段状の凹凸、あるいは本体部の下面に設けた裏溝または裏凸条によって、軒先瓦の下に雨水が浸入するのを阻止する。すなわち、前壁の下面や裏面、あるいは本体部の下面を独特の構造として雨水の浸入を阻止する。したがって、軒先瓦の前面や上面を綺麗な外観としながら雨水の浸入を確実に阻止できる特長がある。
【００２２】
さらに、本発明の軒先瓦は、前壁の下面や裏面、あるいは本体部の下面と独特の構造とするにもかかわらず、通常の金型を使用して脱型できるので、特別に設計された複雑な構造の金型を使用することなく、製造コストが低減しながら安価に多量生産できる特長がある。
【発明を実施するための最良の形態】
【００２３】
以下、本発明の実施例を図面に基づいて説明する。ただし、以下に示す実施例は、本発明の技術思想を具体化するための軒先瓦を例示するものであって、本発明は軒先瓦を以下のものに特定しない。
【００２４】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００２５】
図３ないし図５に示す軒先瓦は、本体部１の前縁に沿って下方に突出する前壁２を設けている。この軒先瓦は、粘土を成形して焼成した焼成瓦、又はモルタルを成形して硬化させたスレート瓦である。図の軒先瓦は、前壁２を所定の厚さとして、下面に長手方向に伸びる縦溝３を設けている。
【００２６】
前壁２は本体部１に対してほぼ直角であるが、正確には本体部１に対してわずかに鈍角となるように連結している。この前壁２は、図４に示すように、背面と本体部１の下面とのなす角（α）を鈍角とし、さらに前面と本体部１の上面とのなす角（β）も鈍角としている。軒先瓦は、前壁２の厚さを本体部１よりもわずかに薄く、たとえば本体部１の厚さを１８ｍｍ、前壁２下端の厚さを１５ｍｍとしている。ただし、軒先瓦は、本体部の厚さを１５ｍｍ〜２０ｍｍとし、前壁の厚さを１０ｍｍ〜１７ｍｍとすることもできる。
【００２７】
図の前壁２は、下面の中央部に沿って縦溝３を設けている。縦溝３は、深さを約１．５ｍｍとし、幅を約５ｍｍとしている。図の縦溝３は、開口幅を底幅よりも広くしている。縦溝３をこの形状とする軒先瓦は、縦溝３を綺麗に成形して焼成し、またセメントを硬化できる。ただし、縦溝は、その深さをたとえば、１ｍｍ〜５ｍｍ、好ましくは１ｍｍ〜３ｍｍとし、さらに好ましくは１ｍｍ〜２ｍｍとすることができる。また、縦溝の幅は、１ｍｍ〜１０ｍｍ、好ましくは２ｍｍないし８ｍｍとすることもできる。
【００２８】
縦溝３は、前壁２の前面に沿って流下する雨水を前壁２の下面で水切りする。軒先瓦の本体部１の上面を流れる雨水は、前壁２の前面に沿って流下する。この雨水は、図３の矢印で示すように、前から吹き込む風によって、前壁２の下面に沿って流れて軒先瓦の下に浸入しようとする。屋根の軒先では、屋根下地１０の先端の下方に接近して樋１１を設けているので、下から上に強風が吹くことはないが、軒先瓦と樋１１との間から水平方向に強風が吹き込むことがある。縦溝３は、前壁２の下面を流れる雨水を水切りして、軒先瓦の下に浸入するのを阻止する。この縦溝３は、前壁２の下面に沿って流れる雨水を水切りすると共に、前壁２の下面を流れる風のエネルギーを減衰させる。前壁２の下面を流れる風は、図３に示すように、前壁２の背面では渦流となって雨水を前壁２の背面に沿って巻き上げる。
【００２９】
図３ないし図５の軒先瓦は、風が渦流となって雨水を前壁２の背面に沿って上昇させるのを阻止するために、前壁２の裏面には、階段状の凹凸４を設けている。階段状の凹凸４は、傾斜面５と垂直面６との繰り返しからなり、傾斜面５は下から上に向かって前壁２を薄くする方向に傾斜し、この傾斜面５の上縁に垂直面６を設けている。図の軒先瓦は、二段の階段状の凹凸４を設けている。傾斜面５は、その上下幅を３〜２０ｍｍ、好ましくは５〜１０ｍｍとし、垂直面６はその幅を１〜３ｍｍ、好ましくは１〜１．５ｍｍとしている。垂直面６の幅は、傾斜面５の傾斜角度を特定する。垂直面６の幅を広くして、傾斜面５の傾斜角を大きくできる。反対に垂直面６の幅を狭くして、傾斜面５の傾斜角を小さくできる。垂直面６の幅を大きくして、雨水が前壁２の裏面に沿って上昇するのをより確実に阻止できる。ただ、垂直面６の幅を広くして、傾斜面５の傾斜角を大きくすると、軒先瓦の裏面を成形する金型の脱型が難しくなる。金型の脱型を簡単にするために、傾斜面５と本体部１の下面とのなす角（α）を９０度以上、好ましくは９０度以上９５度以下となるように成形する。
【００３０】
傾斜面５と垂直面６からなる階段状の凹凸４は、前壁２の背面に沿って雨水が上昇するのを阻止すると共に、背面に沿って上方に流れる風のエネルギーをも減衰させる。前壁２の背面に沿って流れる風は、前壁２から本体部１の下面に向かって流れて、前壁２の背面を流れる雨水を本体部１の下面に浸入させる。階段状の凹凸４は、前壁２の背面で雨水を水切りすると共に、風のエネルギーを減衰させて、風が雨水を本体部１の下面に浸入させるのを阻止する。
【００３１】
以上のように、前壁２の下面に縦溝３を、背面に階段状の凹凸４を設けている軒先瓦は、縦溝３と階段状の凹凸４との相乗作用で、軒先瓦の下に雨水が浸入するのを効果的に阻止できる。ただ、台風のように多量の雨が降り、さらに極めて強い風が軒先瓦に向かって水平方向に吹き込むとき、前壁２の縦溝３と階段状の凹凸４を雨水が超えて、本体部１の下面に浸入することがある。図の軒先瓦は、台風などの極めて激しい環境においても雨水の浸入を確実に阻止するために、縦溝３と階段状の凹凸４に加えて、本体部１の下面に裏溝７を設けている。この裏溝７は、前壁２から離されて、前壁２に沿う方向に伸びるように設けられる。図の軒先瓦は、２列の裏溝７を離して設けている。
【００３２】
裏溝７は、深さを約１．５ｍｍとし、幅を約５ｍｍとしている。図の裏溝７は、開口幅を底幅よりも広くしている。裏溝７をこの形状とする軒先瓦は、裏溝３を綺麗に成形して焼成し、またセメントを硬化できる。ただし、裏溝は、その深さをたとえば、１ｍｍ〜５ｍｍ、好ましくは１ｍｍ〜３ｍｍとし、さらに好ましくは１ｍｍ〜２ｍｍとすることができる。また、裏溝の幅は、１ｍｍ〜１０ｍｍ、好ましくは２ｍｍないし８ｍｍとすることもできる。
【００３３】
裏溝７は、軒先瓦を屋根に葺く状態で、屋根下地１０の前端から突出する位置に設けられる。軒先瓦は、図３に示すように、屋根下地１０の先端縁から突出する位置に固定される。軒先瓦の屋根下地１０からの突出寸法は、２寸〜２．５寸（約６ｃｍ〜７．５ｃｍ）である。この軒先瓦は、前壁２の前面と屋根下地１０の先端との間隔を２〜２．５寸として、前壁２と屋根下地先端縁との間に隙間１２ができるように、屋根下地１０に固定される。裏溝７は、前壁２と屋根下地１０との隙間１２に位置するように、本体部１の下面に設けられる。２列の裏溝７を設けている軒先瓦は、前壁２に近い裏溝７の中心線と、前壁２の前面との間隔を約５．５ｃｍとし、前壁２から離れた裏溝７の中心線と前壁２の前面との間隔を約７ｃｍとする。この軒先瓦は、図４の鎖線で示すように、屋根下地１０から２寸（約６ｃｍ）突出して葺かれる状態にあっては、１列の裏溝７が隙間１２に配設される。また、図４の実線で示すように、屋根下地１０から２．５寸（約７．５ｃｍ）突出して葺かれる状態にあっては、２列の裏溝７が隙間１２に配設される。
【００３４】
さらに、軒先瓦は、図６に示すように、本体部１の下面に裏凸条８を設けることもできる。この裏凸条８は、本体部１の下面から下方に突出して成形される凸条で、前述の裏溝と同様に、前壁２から離されて、前壁２に沿う方向に伸びるように設けられる。裏凸条８は、本体部１の下面からの突出高さを約１．５ｍｍとし、幅を約５ｍｍとしている。図の裏凸条８は、先端面の幅を後端部の幅よりも狭くしている。裏凸条８をこの形状とする軒先瓦は、裏凸条８を綺麗に成形して焼成し、またセメントを硬化できる。ただし、裏凸条は、その突出高さをたとえば、１ｍｍ〜５ｍｍ、好ましくは１ｍｍ〜３ｍｍとすることができる。また、裏凸条の幅は、１ｍｍ〜１０ｍｍ、好ましくは２ｍｍないし８ｍｍとすることもできる。
【００３５】
また、図６の軒先瓦は、２列の裏凸条８を離して設けている。２列の裏凸条８は、前述の裏溝と同様の位置、すなわち軒先瓦を屋根に葺く状態で、屋根下地１０の前端から突出する位置に設けられる。裏凸条８は、前壁２と屋根下地１０との隙間１２に位置するように、本体部１の下面に設けられる。２列の裏凸条８を設けている軒先瓦は、前壁２に近い裏凸条８の中心線と、前壁２の前面との間隔を約５．５ｃｍとし、前壁２から離れた裏凸条８の中心線と前壁２の前面との間隔を約７ｃｍとする。この軒先瓦は、図６の鎖線で示すように、屋根下地１０から２寸（約６ｃｍ）突出して葺かれる状態にあっては、１列の裏凸条８が隙間１２に配設される。また、図６の実線で示すように、屋根下地１０から２．５寸（約７．５ｃｍ）突出して葺かれる状態にあっては、２列の裏凸条８が隙間１２に配設される。
【００３６】
以上の軒先瓦は、本体部１の下面に、２列の裏溝７または裏凸条８を設けているが、軒先瓦は、本体部１の下面に、１列あるいは３列以上の裏溝または裏凸条を設けることもできる。さらに、図示しないが、軒先瓦は、本体部の下面に、裏溝と裏凸条の両方を設けることもできる。たとえば、軒先瓦は、本体部の下面に、１列の裏溝と１列の裏凸条とを、互いに平行に設けることもできる。この軒先瓦は、形状の異なる裏溝と裏凸条の両方で、効果的に雨水の浸入を阻止できる。
【００３７】
前壁２と屋根下地１０との隙間１２に配設される裏溝７や裏凸条８は、強風で本体部１の下面に沿って屋根下地１０との間に浸入する雨水を効果的に水切りする。とくに、図の軒先瓦は、前壁２の縦溝３と階段状の凹凸４で雨水を水切りし、かつ風のエネルギーを減衰させている。このため、裏溝７または裏凸条８を横切る雨水量は少なく、さらに本体部１の下面に沿って吹き込まれる風のエネルギーも小さくなっていることから、裏溝７または裏凸条８でもって雨水の浸入を確実に阻止できる。雨水が軒先瓦と屋根下地１０との間に浸入するためには、裏溝７または裏凸条８を超えて流れる必要があるが、裏溝７または裏凸条８が雨水を水切りし、さらに、風のエネルギーも減衰させることから、雨水が裏溝７または裏凸条８を超えることがなく、軒先瓦と屋根下地１０との間に浸入する雨水を確実に阻止できる。とくに、図の軒先瓦は、前壁２の縦溝３と階段状の凹凸４とで水切りすると共に、風のエネルギーを減衰させ、さらに裏溝７または裏凸条８で雨水を水切りして風のエネルギーを減衰させるので、たとえば台風のように雨量が極めて多く、また雨水を屋根下地１０との間に吹き込む風が極めて強い状態にあっても、雨水の浸入を確実に阻止できる特徴がある。
【図面の簡単な説明】
【００３８】
【図１】従来の軒先瓦の一例を示す断面図である。
【図２】従来の軒先瓦の他の一例を示す断面図である。
【図３】本発明の一実施例にかかる軒先瓦を屋根に葺いた状態を示す概略断面図である。
【図４】図３に示す軒先瓦の拡大断面図である。
【図５】本発明の一実施例にかかる軒先瓦を上下反転した一部拡大斜視図である。
【図６】本発明の他の実施例にかかる軒先瓦の拡大断面図である。
【符号の説明】
【００３９】
１…本体部
２…前壁
３…縦溝
４…階段状の凹凸
５…傾斜面
６…垂直面
７…裏溝
８…裏凸条
１０…屋根下地
１１…樋
１２…隙間
２１…本体部
２２…前壁
２３…屈曲片部
２４…凹溝
３１…本体部
３２…垂下部
【図１】
2008002190.tif 000003
【図２】
2008002190.tif 000004
【図３】
2008002190.tif 000005
【図４】
2008002190.tif 000006
【図５】
2008002190.tif 000007
【図６】
2008002190.tif 000008